(57)【要約】      （修正有）【課題】試験の自動化を実現可能とするとともに、客観性がある試験が可能となるようにし、しかも障害発生から復旧までの時間計測が容易に行なえるようにした。【解決手段】全体制御を行う制御部２１は、マンマシン部２６からの設定内容に従い、パケット生成の制御と断線模擬の制御を行う。時間計測部２２は、パケット生成部２３Ａ，２３Ｂにおいて、疎通できない時間などを計測することにより、冗長機能の性能を測定する。パケット生成部２３Ａ，２３Ｂは、最低２つを有し、その間での疎通確認を行うことにより、試験対象伝送路の復旧確認を行う。この復旧確認は出力選択部２４を介して試験対象伝送路の全ブリッジに出力を１対１に接続し、生成したパケットを入力するブリッジが選択される。断線制御部２５は、必要なブリッジ間接続数分だけ用意した断線模擬部を、制御部２１の指示に従い接続の断／復帰の動作を行う。【選択図】図２
2010226401.tif 000002
【特許請求の範囲】
【請求項１】
ネットワークを構成する複数の試験対象ブリッジと、
各試験対象ブリッジ間を結ぶ伝送路に挿入され、必要なブリッジ間接続数分だけ用意された断線模擬部と、
前記試験対象ブリッジのいずれかに入力され、断線模擬を行う間の疎通確認および性能測定を行うとともに、試験対象伝送路の復旧確認を行う試験用パケットを生成するパケット生成部と、
パケット生成部で生成された試験用パケットが入力される試験対象ブリッジを選択する出力選択部と、
前記パケット生成部において、疎通できない時間を計測し、冗長機能の性能を測定する時間計測部と、
前記断線模擬部の接続の断／復帰を行う断線制御部を制御するとともに、時間計測部、出力選択部を制御する制御部とを備えたことを特徴とするネットワーク機器の機能試験装置。
【請求項２】
前記制御部には、インタフェースを介して設定機能および設定保存機能、計測結果の標準フォーマット変換を行うマンマシン部が接続されていることを特徴とする請求項１項記載のネットワーク機器の機能試験装置。
【発明の詳細な説明】
【技術分野】
【０００１】
本発明は、ＩＥＥＥ８０２．３に規定されるイーサネット（登録商標）の冗長化方式を実装したハブなどを含むネットワーク機器の機能試験装置に関するものである。
【背景技術】
【０００２】
イーサネットを冗長化する方法として、スパニングツリープロトコル（以下ＳＴＰと称す）があり、ＩＥＥＥ８０２．１Ｄおよびその高速化方式としてのＩＥＥＥ８０２．１Ｗに規定されている。
【０００３】
ＳＴＰの実装および試験においては、上記の規格を基にソフトウェアの作り込みを行い試験対象機器に実装した上で試験を行なう手段が採られている。そして、試験においては、規格上および実運用上から想定される障害に完全に対応できることと、異なる製品間での相互接続性を確保することが重要な課題となる。
【先行技術文献】
【特許文献】
【０００４】
【特許文献１】特開２００４−３５６８５４号公報
【発明の概要】
【発明が解決しようとする課題】
【０００５】
上記の背景技術においては、次のような２つの問題点がある。
１．試験の自動化が困難な点
これは、ＳＴＰの規格上、構成可能なブリッジ数は最大７である。このため、全ブリッジ間を総メッシュ接続するには、２１本の伝送路を必要とし、これら全てについて全組み合わせの回線断試験を行なう必要があるからである。
２．相互接続性を確保するための客観性に欠ける点
上記１項の困難な点に加え、一定の方法が確立しないまま試験を行なうと、例えば、相互接続性が確保できない試験対象機器の組み合わせがあると、その問題の再現方法が客観性に欠けることとなり、問題点の切り分けや対策後の確認等に支障を来たすことになる恐れがある。
【０００６】
本発明は、上記の事情に鑑みてなされたもので、試験の自動化を実現可能とするとともに、客観性がある試験が可能となるようにし、しかも障害発生から復旧までの時間計測が容易に行なえるようにしたネットワーク機器の機能試験装置を提供することを目的とする。
【課題を解決するための手段】
【０００７】
上記の課題を達成するために、請求項１に係る発明は、ネットワークを構成する複数の試験対象ブリッジと、
各試験対象ブリッジ間を結ぶ伝送路に挿入され、必要なブリッジ間接続数分だけ用意された断線模擬部と、前記試験対象ブリッジのいずれかに入力され、断線模擬を行う間の疎通確認および性能測定を行うとともに、試験対象伝送路の復旧確認を行う試験用パケットを生成するパケット生成部と、パケット生成部で生成された試験用パケットが入力される試験対象ブリッジを選択する出力選択部と、前記パケット生成部において、疎通できない時間を計測し、冗長機能の性能を測定する時間計測部と、前記断線模擬部の接続の断／復帰を行う断線制御部を制御するとともに、時間計測部、出力選択部を制御する制御部とを備えたことを特徴とする。
【０００８】
また、請求項２に係る発明は、請求項１において、前記制御部には、インタフェースを介して設定機能および設定保存機能、計測結果の標準フォーマット変換を行うマンマシン部が接続されていることを特徴とする。
【発明の効果】
【０００９】
本発明によれば、ＳＴＰ試験の場合、従来は困難であったフルメッシュにおける冗長機能試験の確認作業を自動化することが可能になり、これにより試験の自動化が実現できるようになる。また、本試験装置を基準として試験を行なうことにより、相互接続性を確認し得る上での再現試験などを容易に行なうことが可能になり、これにより客観性がある試験が可能になる。さらに、試験用パケット生成機能を有しているため、障害発生から復旧までの時間計測などの性能データを容易に収集することが可能になることから数値的計測が容易に行なえるなどの利点が得られる。
【図面の簡単な説明】
【００１０】
【図１】図１は、ネットワーク機器の機能試験装置の実施例１を述べるための概念図である。
【図２】図２は、ネットワーク機器の機能試験装置の実施例１を示す構成図である。
【図３】図３は、ファーストイーサネットを想定して構成した断線模擬部の構成図である。
【図４】図４は、ギガビットイーサネットを想定して構成した断線模擬部の構成図である。
【発明を実施するための形態】
【００１１】
以下本発明の実施例を図面に基づいて説明する。
【実施例１】
【００１２】
図１は本発明の実施例１を述べるための概念図で、図１において、１〜４はネットワーク機器の試験対象ブリッジで、ここでは試験対象ブリッジ１〜４が、４つの場合を例に示したが、ブリッジの数は任意に設けても良い。
【００１３】
５1〜５6は断線模擬部で、この断線模擬部５1〜５6は、後述する断線制御部からの制御信号により自動制御されて、全パターンの断線が模擬される。試験用パケットＡおよびＢは、図１において、ブリッジ１と２に入力され、断線模擬を行う間の疎通確認および性能測定を行う。上記全パターンは、例えば、ブリッジ１と３の間を結ぶルートは直接あるいは他のブリッジ経由で存在する。図１ではルートは６つあり、この６つのルートにそれぞれ存在するスイッチの順列組み合わせで入切することにより、全てのルート組合せにおける冗長性が検証できる。
【００１４】
図２は、本発明の実施例１を示す構成図で、図２において、２１は本試験装置の全体制御を行う制御部である。この制御部２１は、マンマシン部２６からの設定内容に従い、パケット生成の制御と断線模擬の制御を行う。
【００１５】
例えば、パケット生成の制御は、時間計測などに用いる試験用パケットの構成および生成制御を行う。このように、試験用パケットは、パケット生成機能を有しているため、障害発生から復旧までの時間計測などの性能データを容易に収集することが可能になる。
【００１６】
これは、与えられた（ルート上のスイッチ（断線模擬部）を任意に入切して）経路の中から最適なものを選択してブリッジ間接続を維持するのが冗長化の目的で、ある状態で接続が維持されているときに、スイッチを任意に入切することにより新しい経路状態を作り上げ、再び接続が確保されるまでの性能を効率的に評価するのがこの実施例の目的である。
【００１７】
通常通信は２点間で行うため、パケット生成部ＡおよびＢを任意のブリッジに接続する。そして、パケット生成部Ａ→パケット生成部Ｂ、パケット生成部Ａ←パケット生成部Ｂ、パケット生成部Ａ⇔パケット生成部Ｂの通信を行い、上記のような経路切替をしたときに通信が途切れる時間を後述の時間計測部にて計測することにより、性能＝経路切替時間が測定可能になる。つまり、データ＝経路切替時間ということになる。
【００１８】
また、断線模擬の制御は、図１に示す各ブリッジ間の伝送路に挿入される断線模擬部５1〜５6の制御と、断線設定内容に従って、一箇所断線、複数箇所断線、シーケンシャル断線等を模擬する。
【００１９】
２２は時間計測部で、この時間計測部２２は、パケット生成部２３Ａ，２３Ｂにおいて、疎通確認できない時間などを計測することにより、冗長機能の性能を測定するものである。
【００２０】
パケット生成部２３Ａ，２３Ｂは、最低２つ（図２においては、パケット生成Ａ，Ｂ）を有し、その間での疎通確認を行うことにより、試験対象伝送路の復旧確認を行う。この復旧確認は、出力選択部２４を介して試験対象伝送路の全ブリッジに出力を１対１に接続し、生成したパケットを入力するブリッジが選択される。
【００２１】
断線制御部２５は、制御部２１からの指示に従い必要なブリッジ間接続数分だけ用意した断線模擬部５1，５2・・・５nの接続の断／復帰の動作を行う。
【００２２】
マンマシン部２６は、制御部２１のマンマシンインタフェースの機能を有し、設定機能および設定保存機能、計測結果の標準フォーマット変換などを行う。２７はＰＣ端末部で、このＰＣ端末部２７は制御用のソフトウェアまたは端末模擬ソフトウェアを介して本試験装置を制御するために設けられている。
【００２３】
図３は断線模擬部の構成図で、この断線模擬部はファーストイーサネットを想定して構成され、１００ＢＡＳＥ−ＴＸ用で４線のみを使用したものである。図３において、ＣＯＮ１，ＣＯＮ２はＲＪ−４５コネクタ、ＳＷは断線模擬部を構成するスイッチ群で、このスイッチ群ＳＷは、イーサネットなどの高速信号を入切できる高周波タイプリレーまたはアナログスイッチから構成される。これらスイッチ群ＳＷは断線制御信号により入り切りされる。なお、上記断線模擬部は、送信及び受信が単独で断線する場合もあるため、送受信系を個別に入切することができるように構成されている。
【００２４】
図４は図３と同様に断線模擬部の構成図で、この断線模擬部は、ギガビットイーサネットを想定して構成されている点が図３と異なり、この図４の断線模擬部は、１０００ＢＡＳＥ−Ｔ用で８線全て使用したものである。この図４においても、図３と同様に、ＳＷは断線模擬部を構成するスイッチ群、ＣＯＮ１，ＣＯＮ２はＲＪ−４５コネクタであり、スイッチ群ＳＷは、断線制御信号により制御される。
【符号の説明】
【００２５】
１〜４…ブリッジ
５1〜５6…断線模擬部
２１…制御部
２２…時間計測部
２３Ａ、２３Ｂ…パケット生成部
２４…出力選択部
２５…断線制御部
２６…マンマシン部
２７…ＰＣ端末
【図１】
2010226401.tif 000003
【図２】
2010226401.tif 000004
【図３】
2010226401.tif 000005
【図４】
2010226401.tif 000006